(57)【要約】  水中通話装置（１００）は、音声インターフェイス（４）と、送受信部と、声質変換部と、本体部（１）等を備える。音声インターフェイス（４）に組み込まれた骨導／咽喉マイクロホン部は、ダイバーの声帯振動を音声信号に変換する。声質変換部は、音声信号を、より明瞭な音声に基づく音声信号に変換する。送受信部に組み込まれた送信部は、変換された音声信号を外部に送信する。送受信部に組み込まれた受信部は、外部から送信される音声データを受信する。音声インターフェイス（４）に組み込まれた骨導スピーカ部は、受信部で受信された音声データに相当する振動を出力する。装着部（１）、（２）、（３）は、骨導スピーカ部をダイバーに当接させた状態で、ダイバーに装着される。受信部と骨導スピーカ部とは、本体部（１）に一体に取り付けられている。
2012099223.tif 000002
【特許請求の範囲】
【請求項１】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーに装着される装着部と、
を備え、
前記受信部と、前記骨導スピーカ部とが、前記装着部に一体に取り付けられている、
水中通話装置。
【請求項２】
前記受信部は、
アンテナを備え、
指向性が前記ダイバーの前方を向くように前記アンテナが取り付けられている、
ことを特徴とする請求項１に記載の水中通話装置。
【請求項３】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
を備える水中通話装置。
【請求項４】
前記骨導／咽喉マイクロホン部から出力された前記音声信号を、より明瞭な音声に基づく音声信号に変換して、前記送信部に送信する声質変換部をさらに備える、
ことを特徴とする請求項３に記載の水中通話装置。
【請求項５】
前記受信部及び前記送信部は、
アンテナを備え、
指向性が前記ダイバーの前方を向くように前記アンテナが取り付けられている、
ことを特徴とする請求項３又は４に記載の水中通話装置。
【請求項６】
音声データを記憶する記憶部と、
前記骨導／咽喉マイクロホン部から出力される前記音声信号を音声データに変換し、前記音声データを前記記憶部に記憶する録音部と、
をさらに備える、
ことを特徴とする請求項３乃至５のいずれか一項に記載の水中通話装置。
【請求項７】
前記録音部は、
前記受信部によって受信された前記音声データを前記記憶部に記憶する、
ことを特徴とする請求項６に記載の水中通話装置。
【請求項８】
外部から入力された音声データを記憶する記憶部と、
前記記憶部に記憶された前記音声データを再生する再生部と、
をさらに備え、
前記骨導スピーカ部は、
前記再生部によって再生された前記音声データに相当する振動を出力する、
ことを特徴とする請求項３乃至５のいずれか一項に記載の水中通話装置。
【請求項９】
前記記憶部に記憶された前記音声データの再生中に、前記受信部が外部から送信される前記音声データを受信した場合、前記記憶部に記憶された前記音声データよりも優先して前記受信部が受信した前記音声データに相当する振動を、前記骨導スピーカ部が出力するように、前記再生部を制御する再生制御部をさらに備える、
ことを特徴とする請求項８に記載の水中通話装置。
【請求項１０】
前記送信部は、
前記再生部によって再生された前記音声データに相当する音声信号を外部に送信する、
ことを特徴とする請求項８に記載の水中通話装置。
【請求項１１】
自機の振動を検出する振動検出部と、
前記振動検出部によって検出された前記振動に基づいて、前記各部の少なくとも１つの動作を制御する制御部と、
をさらに備える請求項１乃至１０のいずれか一項に記載の水中通話装置。
【請求項１２】
前記骨導／咽喉マイクロホン部から出力される前記音声信号に含まれる前記ダイバーからの音声コマンドを認識し、前記音声コマンドに基づいて、前記各部の少なくとも１つの動作を制御する制御部と、
をさらに備える請求項３乃至１０のいずれか一項に記載の水中通話装置。
【請求項１３】
前記各部の少なくとも１つの動作状態を、前記ダイバーの視野内に表示する表示部をさらに備える、
ことを特徴とする請求項１乃至１２のいずれか一項に記載の水中通話装置。
【請求項１４】
前記各部が前記装着部に一体に取り付けられている、
ことを特徴とする請求項３乃至１３のいずれか一項に記載の水中通話装置。
【請求項１５】
前記各部の少なくとも１つが、前記装着部から離隔した状態で使用可能である、
ことを特徴とする請求項３乃至１３のいずれか一項に記載の水中通話装置。
【請求項１６】
前記ダイバーの首に巻き付ける構造となっている、
ことを特徴とする請求項１乃至１５のいずれか一項に記載の水中通話装置。
【請求項１７】
前記ダイバーの額に装着される構造となっている、
ことを特徴とする請求項１乃至１５のいずれか一項に記載の水中通話装置。
【請求項１８】
前記ダイバーが装着するマスクストラップに取り付けられている、
ことを特徴とする請求項１乃至１５のいずれか一項に記載の水中通話装置。
【請求項１９】
前記ダイバーが装着するマスクに取り付けられている、
ことを特徴とする請求項１乃至１５のいずれか一項に記載の水中通話装置。
【請求項２０】
前記ダイバーが装着するフードに取り付けられている、
ことを特徴とする請求項１乃至１５のいずれか一項に記載の水中通話装置。
【請求項２１】
前記ダイバーが装着するダイビングスーツに取り付けられている、
ことを特徴とする請求項１乃至１５のいずれか一項に記載の水中通話装置。
【発明の詳細な説明】
【技術分野】
【０００１】
本発明は、ダイバーが水中で通話するために用いられる水中通話装置に関する。
【背景技術】
【０００２】
従来より、水中で会話をする水中通話装置が開示されている（例えば、特許文献１参照）。このような水中通話装置の中には、フルフェイスマスクやハーフマスクなどのマスクを用いて口等を覆い、鼻や口、唇を自由に動かせる構造になっているものがある。この種の水中通話装置を用いれば、陸上と同じように明瞭な発音で音声を発することが可能である。【０００３】
しかしながら、口等を覆うマスクは、容易に脱着できない構造になっており、適切な使い方がなされなければ、エア切れや、嘔吐での窒息を招くおそれがある。このため、この種の水中通話装置は、軍用、消防、水中レポーターなど、業務上水中で話す必要のあるダイバーのみによって用いられ、レジャーダイバーには用いられていないのが実情である。
【先行技術文献】
【特許文献】
【０００４】
【特許文献１】特開２００６−１１１２０７号公報
【発明の概要】
【発明が解決しようとする課題】
【０００５】
レジャーダイビングでは、ダイバーは、水中マスクをつけ、マウスピースをつけたレギュレータを咥え潜水するのが一般的である。レギュレータやマスクは容易に脱着できるうえ、レギュレータが故障した場合の代替えのオクトパスも装備されている。このことから、レギュレータやマスクは、安全面も強化されている信頼性の高い器材であるといえる。【０００６】
しかしながら、これらの器材を装着すると、鼻は塞がれ、口唇はその動きが規制されてしまうため、明瞭な発音が困難になる。特に、口唇を使って発音する鼻音、破裂音のパ行、バ行、マ行は、その傾向が顕著である。その結果、例え咽喉マイクや骨導マイクなどで音声を採取できたとしても、その音声は甚だ不明瞭なものとなる。【０００７】
また、水中では、自らの排気音により、スピーカからの声を聞き取るのも困難になる。【０００８】
このような背景から、レジャーダイビングにおいては、隣のダイバーとさえも話すこともままならないのが実情である。この状態では、他の人に指示を伝達したり、危険を通知したりするのも困難になる。【０００９】
本発明は、上記実情に鑑みてなされたものであり、水中マスク、レギュレータというダイビング器材を装着したままで、水中で他の人と容易に通話できる水中通話装置を提供することを目的とする。
【課題を解決するための手段】
【００１０】
上記課題を解決するために、本発明に係る水中通話装置は、
ダイバーが装着する水中通話装置であって、
外部から送信される前記音声データを受信する受信部と、
前記受信部で受信された音声データに相当する振動を出力する骨導スピーカ部と、
前記骨導スピーカ部を前記ダイバーに当接させた状態で、前記ダイバーに装着される装着部と、
を備え、
前記受信部と、前記骨導スピーカ部とが、前記装着部に一体に取り付けられている。
【発明の効果】
【００１１】
本発明によれば、受信した音声データに基づく音声に相当する振動を、ダイバーに当接する骨導スピーカ部から出力する。このようにすれば、ダイバーが、外部から送信された音声をより確実に聞き取ることができるようになる。この水中通話装置は、骨導スピーカ部をダイバーに当接させた状態で装着されていればよいので、水中マスク、レギュレータという一般のレジャーダイバーの器材を装着したままでも、ダイバーに装着可能な形態とすることが可能である。また、受信部と、骨導スピーカ部と、装着部とが一体となっているので、装置全体をコンパクトに設計し、ダイバーが装着しても邪魔にならないようにすることができる。
【図面の簡単な説明】
【００１２】
【図１Ａ】本発明の実施形態１に係る水中通話装置の外観を示す図（その１）である。
【図１Ｂ】本発明の実施形態１に係る水中通話装置の外観を示す図（その２）である。
【図１Ｃ】本発明の実施形態１に係る水中通話装置を装着した様子を示す図である。
【図２】図１Ａの水中通話装置の概略的な回路構成を示すブロック図である。
【図３】本発明の実施形態２に係る水中通話装置の概略的な回路構成を示すブロック図である。
【図４】本発明の実施形態３に係る水中通話装置の概略的な回路構成を示すブロック図である。
【図５】本発明の実施形態４に係る水中通話装置の外観を示す図である。
【図６】本発明の実施形態４に係る水中通話装置の概略的な回路構成を示すブロック図である。
【図７】本発明の実施形態５に係る水中通話装置の概略的な回路構成を示すブロック図である。
【図８】本発明の実施形態６に係る水中通話装置の概略的な回路構成を示すブロック図である。
【図９】本発明の実施形態７に係る水中通話装置の概略的な回路構成を示すブロック図である。
【図１０】水中通話装置を額に装着した様子を示す図である。
【図１１】スーツに取り付けられた水中通話装置の一例を示す図である。
【図１２】フードに取り付けられた水中通話装置の一例を示す図である。
【図１３】マスクに取り付けられた水中通話装置の一例を示す図（その１）である。
【図１４】マスクに取り付けられた水中通話装置の一例を示す図（その２）である。
【発明を実施するための形態】
【００１３】
本発明に係る実施形態について図面を参照して説明する。なお、本発明は下記の実施形態及び図面によって限定されるものではない。下記の実施形態及び図面に変更（構成要素の削除も含む）を加えることができるのはもちろんである。また、以下の説明では、本発明の理解を容易にするために、重要でない公知の技術的事項の説明を適宜省略する。
【００１４】
（実施形態１）
まず、本発明の実施形態１について説明する。
【００１５】
図１Ａ及び図１Ｂには、本実施形態に係る水中通話装置１００の外観が示されている。図１Ａに示すように、水中通話装置１００は、本体部１と、紐部２と、連結部３と、を備える。本体部１と、紐部２と、連結部３とで、装着部が構成されている。
【００１６】
本体部１は、その大部分が、長細い柔軟性のある部材で構成されている。これにより、本体部１は、図１Ｃに示すように、ダイバーの首部に密着しやすくなっている。
【００１７】
本体部１には、音声インターフェイス４が内蔵されている。音声インターフェイス４には、後述する骨導スピーカ部１１（図２参照）が組み込まれている。骨導スピーカ部１１は、本体部１表面に露出している。なお、本体部１を構成する部材は、防音、防振効果を有しており、骨導スピーカ部１１から発せられる振動が、一方向にしか伝達されないようになっている。
【００１８】
紐部２は、弾性部材である２本の紐から成り、各紐は、本体部１の両端にそれぞれ連結されている。各紐の他端には、一対の連結部３を構成する各連結部が接続されている。一対の連結部３の連結により、水中通話装置１００は、図１Ｃに示すように、ダイバーの首部に装着される。紐部２の弾性力により、水中通話装置１００は、ダイバーの首部に密着した状態となる。
【００１９】
ダイバーの首部に装着された状態で、音声インターフェイス４は、ダイバーの首の後ろに当接するようになっている。これにより、骨導スピーカ部１１から発せられた振動が、ダイバーの骨を介してダイバーの耳（蝸牛管）に伝達され、音として認識できるようになる。なお、音声インターフェイス４をダイバーの首の後ろに配置するのは、首の前に配置するよりも、ダイバー自身の排気音の影響を小さくすることできるうえ、骨導スピーカ部１１からの音声が聞き取りやすくなるためである。
【００２０】
このように、本実施形態では、本体部１等が首に巻き付けられる構造となっているので、本体部１が、ダイバーの口や目の周辺を塞ぐことはない。このため、水中マスクやレギュレータを装着した状態でも、水中通話装置１００を装着することが可能である。
【００２１】
図１Ｂは、水中通話装置１００を正面から見た（図１Ａの矢印Ａの方向から）見た図である。図１Ｂに示すように、本体部１の正面には、送受信部５が内蔵されている。送受信部５は、音声データが含まれる超音波を受信する。水中では電磁波の到達距離は短いため、超音波が採用されている。
【００２２】
図２には、本実施形態に係る水中通話装置１００の概略的な回路構成が示されている。図２に示すように、水中通話装置１００は、上述のように、送受信部５と音声インターフェイス４とを備える。
【００２３】
送受信部５には、受信部１０が組み込まれている。受信部１０は、外部から送信される超音波を受信する受信アンテナと、受信回路と（いずれも不図示）を備える。受信アンテナは、音声データ、もしくは、音声に変復調できるデジタルデータを含む超音波を受信して、電気信号に変換する。受信回路は、受信アンテナから出力された電気信号を音声データに復調して出力する。なお、通信方式は、アナログ方式でもデジタル方式でもかまわない。デジタル方式の場合、音声に変復調できるデジタルデータには、例えばＬＰＣやケプストラム値を圧縮したデータ等がある。
【００２４】
音声インターフェイス４には、骨導スピーカ部１１が組み込まれている。骨導スピーカ部１１は、受信部１０の受信回路から出力された音声データに基づく音声に相当する振動を外部に出力する。
【００２５】
本実施形態に係る水中通話装置１００をツアー客が装着し、明瞭な発声が可能で、その音声を超音波で送信可能な他の水中通話装置をツアーガイドが装着している場合について考える。この場合、ツアーガイドはツアー客に対して、水中にあっても明瞭な指示を伝えることができる。
【００２６】
以上詳細に説明したように、本実施形態によれば、受信した音声データに基づく音声に相当する振動を、ダイバーに当接する骨導スピーカ部１１から出力する。骨導スピーカ部１１の出力は、頭の骨を介して蝸牛管に伝達される。このようにすれば、ダイバーが、外部から送信された音声をより確実に聞き取ることができるようになる。
【００２７】
また、本実施形態に係る水中通話装置１００は、ダイバーの首に巻きつけられた状態で使用されるので、水中マスク、レギュレータという一般のレジャーダイバーの器材を装着したままでも、装着することができる。
【００２８】
また、本実施形態では、受信部１０と、骨導スピーカ部１１とが、本体部１に一体に取り付けられている。このようにすれば、外部に配線等を露出させることなく、装置全体をコンパクトに設計することができるので、ホース類が多いダイビング用具をつけていても、水中通話装置１００を容易に装着し、操作できるようになる。
【００２９】
また、本実施形態に係る水中通話装置１００は、続く実施形態に係るものと比べ、構成が簡単であるため、コスト面で有利である。
【００３０】
（実施形態２）
次に、本発明の実施形態２について説明する。
【００３１】
本実施形態に係る水中通話装置１００の全体構成は、図１Ａ及び図１Ｂに示すものと同じである。本実施形態に係る水中通話装置１００は、内部の回路構成が、上記実施形態１に係る水中通話装置１００と異なる。
【００３２】
図３には、本実施形態に係る水中通話装置１００の概略的な回路構成が示されている。図３に示すように、水中通話装置１００は、音声インターフェイス４及び送受信部５の構成が上記実施形態１と異なっている。
【００３３】
音声インターフェイス４は、骨導スピーカ部１１に加え、骨導／咽喉マイクロホン部１２をさらに備える。骨導／咽喉マイクロホン部１２は、ダイバーの声帯振動を、例えば頭骨を介して感知し、その振動を音声データを含む電気信号（音声信号）に変換して出力する。なお、骨導／咽喉マイクロホン部１２は、骨導マイクロホンであってもよいし、咽喉マイクロホンであってもよい。
【００３４】
送受信部５は、受信部１０に加え、送信部１３をさらに備える。送信部１３は、送信回路と、送信アンテナと（いずれも不図示）を備える。送信回路は、骨導／咽喉マイクロホン部１２から出力された音声信号を変調する。送信アンテナは、変調された音声信号を超音波に変換して外部に出力する。
【００３５】
図３には、２台の水中通話装置１００で音声データが送受信される様子が示されている。水中通話装置１００は、それぞれダイバーの首部に装着されている。図３に示すように、水中通話装置１００の間で、超音波による音声データの送受信が行われることにより、ダイバー同士の水中での通話が可能となる。
【００３６】
この場合、口唇を用いて発話される音素は不明瞭なまま伝達される。しかしながら、聞き慣れてくることによって、例えば「はい」、「いいえ」などは聞き取れるようになり、簡単な意思疎通はできるようになる。
【００３７】
本実施形態に係る水中通話装置１００をツアー客とツアーガイドとが装着した場合、ツアーガイドはツアー客に対して、水中でも、明瞭な指示を伝えることができるうえ、ツアー客からの応答を確認することができる。
【００３８】
以上詳細に説明したように、本実施形態によれば、骨導／咽喉マイクロホン部１２が音声信号を声帯振動から変換して取得し、送信部１３がその音声データを含む超音波に変換して外部に送信する。外部から受信した音声データに基づく音声を骨導スピーカ部１１から出力する。骨導スピーカ部１１の出力は、頭骨を介して蝸牛管に伝達される。これにより、ダイバー同士が、水中で簡単な会話をすることができるようになる。
【００３９】
なお、送信部１３は、外部に超音波を送信し続けてもよいし、別途備える操作用のＰＴＴ（Push To Talk）ボタンに対する操作に基づいて外部に超音波を送信するようにしてもよい。また、送信部１３は、ＶＯＸ（Voice Operation Transmission）機能を備え、骨導／咽喉マイクロホン部１２から出力された音声データを検出したことを契機に、外部に超音波を自動的に送信するようにしてもよい。
【００４０】
なお、上記実施形態では、受信部１０及び送信部１３は、それぞれ受信アンテナ及び送信アンテナを備えるようにした。このため、受信及び送信の特性に合わせた最適なアンテナを採用することができる。一方、送受信部５は、受信アンテナ及び送信アンテナの機能を有する送受信アンテナを備えるようにしてもよい。こうすることで、水中通話装置１００を小型化でき、コスト面でも有利である。
【００４１】
また、本実施形態に係る水中通話装置１００は、ダイバーの首に巻きつけられた状態で使用されるので、水中マスク、レギュレータという一般のレジャーダイビングの器材を装着したままでも、装着することができる。
【００４２】
また、本実施形態では、受信部１０と、骨導スピーカ部１１と、送信部１３と、骨導／咽喉マイクロホン部１２とが、本体部１に一体に取り付けられている。このようにすれば、装置全体をコンパクトに設計し、ダイバーが装着しても邪魔にならないようにすることができる。
【００４３】
なお、受信部１０と、骨導スピーカ部１１と、骨導／咽喉マイクロホン部１２と、送信部１３との少なくとも１つを、本体部１から外し分離した状態で（本体部１から離隔した状態で）、使用できるようにしてもよい。この場合、本体部１から離隔した部分は、音声信号を伝送するケーブル（不図示）で本体部１内の対応する部分（骨導スピーカ部１１と受信部１０又は骨導／咽喉マイクロホン部１２と送信部１３）と接続されることになる。
【００４４】
このようにすれば、例えば、受信部１０、骨導スピーカ部１１、骨導／咽喉マイクロホン部１２、送信部１３の装着位置の自由度を高めることができる。例えば、本体部１をダイバーの首に装着し、骨導スピーカ部１１や骨導／咽喉マイクロホン部１２をマスクストラップに装着することも可能となる。また、各部を分離可能とすれば、装置のメンテナンス等も容易になる。
【００４５】
また、受信部１０と、骨導スピーカ部１１と、骨導／咽喉マイクロホン部１２と、送信部１３と、の少なくとも１つは、元々本体部１に組み込まれていなくてもよい。このようにすれば、本体部１をさらに小型化することもでき、装着し易くなる。
【００４６】
また、本実施形態に係る水中通話装置１００は、続く実施形態に係るものと比べ、構成が簡単であるため、コスト面で有利である。
【００４７】
（実施形態３）
次に、本発明の実施形態３について説明する。
【００４８】
本実施形態に係る水中通話装置１００の全体構成は、図１Ａ及び図１Ｂに示すものと同じである。本実施形態に係る水中通話装置１００は、内部の回路構成が、上記実施形態１、２に係る水中通話装置１００と異なる。
【００４９】
図４に示すように、本実施形態に係る水中通話装置１００は、声質変換部１４をさらに備える点が、上記実施形態２と異なる。
【００５０】
声質変換部１４は、骨導／咽喉マイクロホン部１２から出力された音声信号を入力する。声質変換部１４は、例えば、音素解析処理や音声認識処理を行って、入力した音声信号に基づく音声を、より明瞭な音声に変換し、変換された音声に対応する音声信号を送信部１３に出力する。
【００５１】
声質変換部１４では、不明瞭な音声を明瞭な音声に、音素単位で変換するようにしてもよいし、不明瞭な音声を認識して明瞭な人口音声に変換するようにしてもよい。この場合、不明瞭な音声データと明瞭な音声データとを結びつけるデータベースを用いた声質変換を行ってもよい。また、音声特徴の抽出には、ケプストラムや線形予測法（ＬＰＣ）を用いることができるし、音声認識には、隠れマルコフモデル（ＨＭＭ）を用いることができる。
【００５２】
以上詳細に説明したように、本実施形態によれば、水中では不明瞭となる音声を明瞭なものとして、超音波で送信するので、水中においても、明瞭な会話が可能となる。
【００５３】
また、本実施形態では、受信部１０と、骨導スピーカ部１１と、骨導／咽喉マイクロホン部１２と、送信部１３と、声質変換部１４とが、本体部１に一体に取り付けられている。このようにすれば、装置全体をコンパクトに設計し、ダイバーが装着しても邪魔にならないようにすることができる。
【００５４】
なお、受信部１０と、骨導スピーカ部１１と、骨導／咽喉マイクロホン部１２と、送信部１３と、声質変換部１４との少なくとも１つを、本体部１から外し分離した状態で（本体部１から離隔した状態で）、使用できるようにしてもよい。この場合、本体部１から離隔した部分は、音声信号を伝送するケーブル（不図示）で本体部１内の対応する部分（骨導スピーカ部１１と受信部１０又は骨導／咽喉マイクロホン部１２と送信部１３）と接続されることになる。
【００５５】
このようにすれば、上記実施形態２で述べたように、受信部１０、骨導スピーカ部１１、骨導／咽喉マイクロホン部１２、送信部１３、声質変換部１４の装着位置の自由度を高めることができる。
【００５６】
また、受信部１０と、骨導スピーカ部１１と、骨導／咽喉マイクロホン部１２と、送信部１３と、声質変換部１４との少なくとも１つは、元々本体部１に組み込まれていなくてもよい。このようにすれば、本体部１をさらに小型化することもできる。
【００５７】
なお、水中通話装置１００は、受信部１０及び送信部１３における受信アンテナ及び送信アンテナの指向性が、前記ダイバーの前方を向くように取り付けられていてもよい。通常、水中での通話は、相手の方向に向かって行われるため、ダイバーの前方から超音波を受信し、ダイバーの前方に超音波を出力することによって、受信感度が高まる。また、こうすることで、ダイバーの体によって超音波の伝播が妨げられないため、受信感度が高まる。
【００５８】
（実施形態４）
次に、本発明の実施形態４について説明する。
【００５９】
図５には、本実施形態に係る水中通話装置１００の外観が示されている。本実施形態に係る水中通話装置１００は、図５に示すように、図１Ａに示す水中通話装置１００の各構成要素に加え、ケーブル６をさらに備える。ケーブル６は、本体部１に接続されている。ケーブル６には、例えば、光ファイバ等が組み込まれている。本体部１から発せられた光は、ケーブル６に入射して、ケーブル６内（例えば光ファイバ内）を通って、本体部１に接続されていない方の先端から外部に出射する。ケーブル６は、自由に折り曲げられるようになっており、例えば、マスクを装着するダイバーの視野内（好ましくは視野の隅）にケーブル６の先端を導くことができる。これにより、ダイバーは、ケーブル６の先端の発光を確認することができる。
【００６０】
本実施形態に係る水中通話装置１００は、内部の回路構成が、上記実施形態２に係る水中通話装置１００と異なる。図６に示すように、本実施形態に係る水中通話装置１００は、振動検出部１５と、スイッチ１６と、表示部１７と、制御部１８とをさらに備える点が上記実施形態２と異なる。
【００６１】
受信部１０は、骨導スピーカ部１１ではなく、制御部１８に音声データを出力する。振動検出部１５は、水中通話装置１００の振動を検出する。例えば、振動検出部１５は、加速度センサを備え、ダイバーが本体部１を叩いたことによる振動を検出する。振動検出部１５は、振動を検出すると、検出信号を制御部１８に出力する。なお、振動検出部１５は、加速度センサに限らず、ジャイロスコープ等で振動を検出するようにしてもよい。
【００６２】
スイッチ１６は、骨導／咽喉マイクロホン部１２から送信部１３への音声信号の出力のオンオフを、制御部１８の制御の下で切り替える。骨導／咽喉マイクロホン部１２は、送信部１３に音声信号を出力するが、その音声信号が送信部１３に入力されるのはスイッチ１６がオンのときに限られる。すなわち、スイッチ１６がオンの場合、骨導／咽喉マイクロホン部１２から出力された音声信号は、送信部１３に入力される。スイッチ１６がオフの場合、骨導／咽喉マイクロホン部１２から出力された音声信号は、送信部１３に入力されない。
【００６３】
表示部１７は、ケーブル６と、ＬＥＤ（Light Emitting Diode、不図示）とを備える。表示部１７は、制御部１８の制御の下、ＬＥＤを発光させる。ＬＥＤ光は、光ファイバを介してケーブル６の先端に導かれる。なお、表示部１７は、赤色、白色、青色等の複数の種類の光を発したり、光を点滅させたり、文字列の表示に対応する光を発したりしてもよい。例えば、ケーブル６の先端から発せられた光がダイバーの装着するマスクのレンズに表示されるようにケーブル６を配設することによって、表示部１７による発光がダイバーによって視認されやすくなる。
【００６４】
制御部１８は、振動検出部１５によって検出された振動に基づいて、送信部１３及び骨導スピーカ部１１の動作を制御する。より詳細には、制御部１８は、送信制御部１９と、出力制御部２０とを備える。送信制御部１９は、振動検出部１５によって検出された振動に基づいて、送信部１３に音声信号の送信を開始又は終了させる。例えば、送信制御部１９は、スイッチ１６に切り替え信号を出力することによって、スイッチ１６のオンオフを切り替える。振動検出部１５から検出信号が出力されると、送信制御部１９は、切り替え信号をスイッチ１６に出力する。スイッチ１６は、オンの状態で切り替え信号を入力するとオフになる。一方、スイッチ１６は、オフの状態で切り替え信号を入力するとオンになる。
【００６５】
出力制御部２０は、振動検出部１５によって検出された振動に基づいて、骨導スピーカ部１１からの出力を制御する。出力制御部２０による制御は、振動検出部１５から出力される検出信号に従って行われる。例えば、振動検出部１５から１秒以内の間隔で２回検出信号が出力されると、出力制御部２０は、骨導スピーカ部１１に出力する振動を大きくする。また、振動検出部１５から１秒以内の間隔で３回検出信号が出力されると、出力制御部２０は、骨導スピーカ部１１に出力する振動を小さくする。こうすることで、出力制御部２０は、ダイバーに認識される音量を調節できる。
【００６６】
制御部１８は、表示部１７を制御する。制御部１８による制御によって、表示部１７は、送信部１３及び骨導スピーカ部１１の動作状態を、ダイバーの視野内に表示する。例えば、制御部１８は、送信制御部１９による音声信号の送信の開始又は終了と、出力制御部２０による骨導スピーカ部１１からの出力の制御の状態とを、表示部１７に表示させる。制御部１８は、スイッチ１６がオンの場合に限って表示部１７にＬＥＤを発光させる。こうすることで、ケーブル６の先端が発光し、ダイバーは、音声信号が外部に送信されることを確認できる。また、制御部１８は、出力制御部２０が骨導スピーカ部１１に出力する振動を大きくした場合に、表示部１７に青色のＬＥＤを発光させる。こうすることで、ケーブル６の先端から青色光が発光し、ダイバーは、音量が大きくなっていることを確認できる。一方、制御部１８は、出力制御部２０が骨導スピーカ部１１に出力する振動を小さくした場合に、青色と異なる色、例えば、白色のＬＥＤを表示部１７に発光させる。こうすることで、ケーブル６の先端から白色光が発光し、ダイバーは、音量が小さくなっていることを確認できる。
【００６７】
以下、本実施形態に係る水中通話装置１００における通話の開始及び終了の動作を説明する。初期状態では、スイッチ１６はオフであって、表示部１７は発光してないものとする。
【００６８】
通話を始める場合、ダイバーが本体部１を１回叩くと、振動検出部１５は、振動を検出する。振動検出部１５は、検出信号を制御部１８に出力する。送信制御部１９は、切り替え信号をスイッチ１６に出力する。これによって、スイッチ１６がオフからオンになるため、骨導／咽喉マイクロホン部１２から出力された音声信号は送信部１３に入力される。送信部１３は、音声信号を超音波に変換して外部に出力する。送信制御部１９が切り替え信号をスイッチ１６に出力したとき、制御部１８は、表示部１７にＬＥＤを発光させる。そうすると、ケーブル６の先端が発光し、ダイバーは、自身の声が外部に送信されることを認識できる。
【００６９】
通話を終了する場合、ダイバーが本体部１を１回叩くと、振動検出部１５は、振動を検出する。振動検出部１５は、検出信号を制御部１８に出力する。送信制御部１９は、切り替え信号をスイッチ１６に出力する。これによって、スイッチ１６がオンからオフになるため、骨導／咽喉マイクロホン部１２から出力された音声信号は送信部１３に入力されなくなる。送信制御部１９が切り替え信号をスイッチ１６に出力したとき、制御部１８は、表示部１７にＬＥＤの発光を終了させる。そうすると、ケーブル６の先端が発光しなくなり、ダイバーは、自身の声が外部に送信されないことを認識できる。
【００７０】
次に、本実施形態に係る水中通話装置１００における通話の音量を調節する動作を、音量を大きくする場合を例に説明する。
【００７１】
通話の音量を大きくするために、ダイバーが本体部１を０．５秒の間隔で２回連続して叩くと、振動検出部１５は、２つの振動を検出する。振動検出部１５は、検出信号を制御部１８に連続して出力する。振動検出部１５から１秒以内の間隔で２回検出信号が出力されたため、出力制御部２０は、骨導スピーカ部１１に出力する振動を大きくする。このとき、制御部１８は、表示部１７に青色のＬＥＤを発光させる。こうすることで、ダイバーは、ケーブル６の先端から発光する青色光を視認できるので、音量が大きくなったことを確認できる。
【００７２】
以上詳細に説明したように、本実施形態によれば、水中通話装置１００を叩くといった簡単な動作で、音声信号の外部への送信開始又は終了の切り替え及び骨導スピーカ部１１からの出力を制御できるので、操作性が向上する。
【００７３】
特に水中では、ダイバーはグローブを装着していたり、機材等で両手がふさがっていたりするため、上記操作用のＰＴＴボタンを押すなどの複雑な操作が困難な場合がある。また、上述のＶＯＸ機能を用いた場合、排気音に反応して誤って音声信号が外部に出力されたり、ダイバーの音声が小さいために音声信号が外部に出力されなかったりして、操作や調整が難しいことがある。本実施形態では、水中通話装置１００を叩くといった簡単な動作で水中通話装置１００を操作できるので、動作が不自由な水中での使用に好適である。
【００７４】
また、一部の無線機器において、信号の送信開始時や送信終了時に１ＫＨｚサイン波等の信号音をスピーカから出力することで送信中であることを知らせる機能がある。しかし、この機能では、信号音を絶えず意識しないと、送信中か否かを認識できないので、ダイバーの負担となる。本実施形態に係る水中通話装置１００は、表示部１７を備えているため、ダイバーは、自身の声が外部に送信されるか否か、及び骨導スピーカ部１１からの出力の制御状態を容易に確認できる。このため、利便性がさらに高まる。
【００７５】
なお、本実施形態では、表示部１７は、ケーブル６を備えることとしたが、表示部１７は、ケーブル６を備えていなくてもよい。この場合、表示部１７が備えるＬＥＤがダイバーの視野内に配置されるようにすればよい。
【００７６】
なお、本実施形態では、出力制御部２０による音量の調節について説明したが、出力制御部２０による制御は、音量の調節に限らず、ミュート、音色や音の高低の調節等であってもよい。
【００７７】
なお、本実施形態において、振動検出部１５を用いた通話の終了について説明した。しかし、骨導／咽喉マイクロホン部１２が、制御部１８に音声信号を出力するようにし、送信制御部１９が、骨導／咽喉マイクロホン部１２から一定時間、音声信号が出力されなかった場合に、すなわち無音の場合に、切り替え信号をスイッチ１６に出力するようにしてもよい。このようにすることで、音声信号は送信部１３に入力されなくなり、通話を終了させることができる。また、このとき、制御部１８が表示部１７にＬＥＤの発光を終了させるため、ケーブル６の先端が発光しなくなり、ダイバーは、自身の声が外部に送信されないことを認識できる。
【００７８】
また、本実施形態では、受信部１０と、骨導スピーカ部１１と、骨導／咽喉マイクロホン部１２と、送信部１３と、振動検出部１５と、送信制御部１９と、出力制御部２０と、表示部１７とが、本体部１に一体に取り付けられている。このようにすれば、装置全体をコンパクトに設計し、ダイバーが装着しても邪魔にならないようにすることができる。
【００７９】
なお、受信部１０と、骨導スピーカ部１１と、骨導／咽喉マイクロホン部１２と、送信部１３と、振動検出部１５と、送信制御部１９と、出力制御部２０と、表示部１７との少なくとも１つを、本体部１から外し分離した状態で（本体部１から離隔した状態で）、使用できるようにしてもよい。この場合、本体部１から離隔した部分は、音声信号を伝送するケーブル（不図示）で本体部１内の対応する部分（骨導スピーカ部１１と受信部１０又は骨導／咽喉マイクロホン部１２と送信部１３）と接続されることになる。
【００８０】
このようにすれば、受信部１０、骨導スピーカ部１１、骨導／咽喉マイクロホン部１２、送信部１３、振動検出部１５、送信制御部１９、出力制御部２０、表示部１７の装着位置の自由度を高めることができる。
【００８１】
なお、本実施形態に係る水中通話装置１００は、上記実施形態３における声質変換部１４を備えていてもよい。この場合、スイッチ１６は、骨導／咽喉マイクロホン部１２から声質変換部１４への音声信号の出力のオンオフを切り替えるようにしてもよいし、声質変換部１４で変換された音声に対応する音声信号の送信部１３への出力のオンオフを切り替えるようにしてもよい。この場合、制御部１８は、声質変換部１４による音声の変換のオンオフを表示部１７に表示させてもよい。
【００８２】
なお、受信部１０と、骨導スピーカ部１１と、骨導／咽喉マイクロホン部１２と、送信部１３と、声質変換部１４と、振動検出部１５と、送信制御部１９と、出力制御部２０と、表示部１７とが、本体部１に一体に取り付けられてもよい。このようにすれば、装置全体をコンパクトに設計し、ダイバーが装着しても邪魔にならないようにすることができる。
【００８３】
また、受信部１０と、骨導スピーカ部１１と、骨導／咽喉マイクロホン部１２と、送信部１３と、声質変換部１４と、振動検出部１５と、送信制御部１９と、出力制御部２０と、表示部１７との少なくとも１つを、本体部１から外し分離した状態で（本体部１から離隔した状態で）、使用できるようにしてもよい。この場合、本体部１から離隔した部分は、音声信号を伝送するケーブル（不図示）で本体部１内の対応する部分（骨導スピーカ部１１と受信部１０又は骨導／咽喉マイクロホン部１２と送信部１３）と接続されることになる。
【００８４】
このようにすれば受信部１０、骨導スピーカ部１１、骨導／咽喉マイクロホン部１２、送信部１３、声質変換部１４、振動検出部１５、送信制御部１９、出力制御部２０、表示部１７の装着位置の自由度を高めることができる。
【００８５】
なお、上記実施形態１乃至３においても、水中通話装置１００は、振動検出部１５及び制御部１８を備えることによって、振動検出部１５によって検出された振動に基づいて、送信部１３からの音声信号の送信及び骨導スピーカ部１１からの出力の他、声質変換部１４による音声信号の変換を制御するようにしてもよい。また、水中通話装置１００は、表示部１７を備えることによって、送信部１３及び骨導スピーカ部１１の動作状態の他、声質変換部１４による音声信号の変換のオンオフ等を表示するようにしてもよい。
【００８６】
（実施形態５）
次に、本発明の実施形態５について説明する。
【００８７】
本実施形態に係る水中通話装置１００の全体構成は、図１Ａ及び図１Ｂに示すものと同じである。本実施形態に係る水中通話装置１００は、内部の回路構成が、上記実施形態２に係る水中通話装置１００と異なる。
【００８８】
図７に示すように、本実施形態に係る水中通話装置１００は、スイッチ１６と、制御部１８と、記憶部２１と、入出力インターフェイス２２とをさらに備える点が、上記実施形態２と異なる。
【００８９】
本実施形態では、骨導／咽喉マイクロホン部１２は、制御部１８に音声信号を出力する。スイッチ１６は、上記実施形態４と同様に、骨導／咽喉マイクロホン部１２から送信部１３への音声信号の出力のオンオフを、制御部１８の制御の下で切り替える。
【００９０】
記憶部２１は、例えば、ＲＡＭ（Random Access Memory）等のメモリである。記憶部２１は、音声データを記憶する。
【００９１】
入出力インターフェイス２２は、外部から入力された音声データ等を受け付ける。入出力インターフェイス２２は、受け付けた音声データ等を制御部１８に入力する。また、入出力インターフェイス２２は、制御部１８から出力された音声データ等を外部に出力する。
【００９２】
制御部１８は、録音部２３と、録音制御部２４とを備える。録音部２３は、骨導／咽喉マイクロホン部１２から出力される音声信号を音声データに変換し、音声データを記憶部２１に記憶する。
【００９３】
録音制御部２４は、骨導／咽喉マイクロホン部１２から出力される音声信号に含まれるダイバーからの音声コマンドを認識する。音声コマンドとは、所定の動作に対応付けられた音声である。録音制御部２４は、音素解析処理や音声認識処理を行って、音声信号に含まれる音声コマンドを認識する。
【００９４】
録音制御部２４は、認識した音声コマンドに基づいて、録音部２３に音声データの記憶を開始又は終了させる。例えば、録音制御部２４は、記憶部２１に記憶された音声コマンドと所定の動作とが対応付けられた音声コマンドテーブルを参照することで、音声コマンドに対応する動作を実行する。
【００９５】
以下、音声コマンドテーブルにおいて、例えば、音声コマンド「録音スタート」に動作「記憶の開始」が対応付けられており、音声コマンド「記憶ストップ」に動作「記憶の終了」が対応付けられている場合を説明する。なお、前提として、スイッチ１６は、オンの状態であるとする。
【００９６】
録音制御部２４は、骨導／咽喉マイクロホン部１２から出力される音声信号に含まれる「録音スタート」を認識する。続いて、録音制御部２４は、録音部２３に音声データの記憶を開始させる。これに応じて、録音部２３は、骨導／咽喉マイクロホン部１２から出力される音声信号を音声データに変換し、この音声データを記憶部２１に記憶する。録音制御部２４によって、「録音スタート」が認識された際、制御部１８は、切り替え信号をスイッチ１６に出力する。これに応じて、スイッチ１６はオフに切り替わる。こうすることで、録音部２３による音声データの記憶の開始後は、骨導／咽喉マイクロホン部１２から出力された音声信号は、送信部１３から外部に送信されない。
【００９７】
そして、録音部２３が音声データを記憶部２１に記憶している状態で、録音制御部２４が、骨導／咽喉マイクロホン部１２から出力される音声信号に含まれる「録音ストップ」を認識する。すると、録音制御部２４は、録音部２３による音声データの記憶を終了させる。録音制御部２４によって、「録音ストップ」が認識された際、制御部１８は、切り替え信号をスイッチ１６に出力してもよい。これに応じて、スイッチ１６はオンに切り替わる。こうすることで、録音部２３による音声データの記憶の終了後は、送信部１３からの外部への音声信号の送信が可能になる。
【００９８】
制御部１８は、記憶部２１に記憶された音声データを入出力インターフェイス２２に出力する。こうすることで、例えば、ダイビングが終わった後に、記憶部２１に記憶された音声データを、入出力インターフェイス２２を介してＵＳＢ（Universal Serial Bus）メモリ等に取り込むことができる。ＵＳＢメモリに取り込んだ音声データは、ＰＣ（Personal Computer）等に移して、様々な用途に用いることができる。
【００９９】
その用途は、例えば、ボイスメモである。水中では、ダイバーは、酸素ボンベを背負い、ホース類や水中カメラ、ライト等の機材を多く身につけているうえ、保護スーツやグローブを装着しているため、観察したもの等をメモ帳に書き込むことは困難である。このため、ダイビング後に記憶を頼りに水中で観察したもの等を記録しなければならなかった。そこで、水中通話装置１００を用いることによって、水中でメモ帳に書き込みたかったことを正確に記録できる。
【０１００】
また、その他の用途として、水中で撮影した動画にダイバーが水中で発声した音声やその音声を書き起こしたテロップを付け加えることができる。水中撮影機は陸上での使用を前提に設計されているため、陸上用のマイクがついており、水中での音声を明瞭に録音することができなかった。これに対し、水中通話装置１００を用いることによって、水中での音声が正確に記録できるので、水中で撮影した動画に臨場感あふれる会話やナレーションを加えることができる。
【０１０１】
以上詳細に説明したように、本実施形態によれば、骨導／咽喉マイクロホン部１２から出力された音声信号が変換された音声データを記憶することができるため、フルフェイスマスクなどの特殊な器具を使用しなくても水中での音声を録音することができる。
【０１０２】
また、本実施形態によれば、音声コマンドによって音声データの記憶を開始させたり、終了させたりできる。水中では、手の動きが制限されるところ、ダイバーは発声するだけで、録音開始及び終了の操作ができるため、利便性が高まる。
【０１０３】
なお、上記実施形態２乃至４においても、水中通話装置１００は、制御部１８を備えることによって、音声コマンドに基づいて、送信部１３からの音声信号の送信及び骨導スピーカ部１１からの出力、声質変換部１４による音声信号の変換、表示部１７による表示等を制御するようにしてもよい。
【０１０４】
なお、水中通話装置１００は、操作用のＰＴＴボタンを別途備えるようにしてもよい。この場合、録音制御部２４は、例えば、ＰＴＴボタンに対する特定の操作（長押し、素早い３回押し等）に基づいて録音部２３に音声データの記憶を開始又は終了させるようにしてもよい。
【０１０５】
本実施形態では、音声コマンドによって音声データの記憶を開始させたり、終了させたりするようにしたが、上記実施形態４と同様に、水中通話装置１００は、振動検出部１５を備えてもよい。この場合、制御部１８は、振動検出部１５によって検出された振動に基づいて、録音部２３による音声データの記憶の開始又は終了を制御するようにしてもよい。また、水中通話装置１００は、表示部１７を備えてもよい。この場合、制御部１８は、録音部２３による音声データの記憶の開始又は終了等を表示部１７に表示させるようにしてもよい。
【０１０６】
なお、本実施形態では、録音部２３は、骨導／咽喉マイクロホン部１２から出力された音声信号を音声データに変換するようにした。ここで、録音部２３は、上記実施形態３における音質変換部１４によってより明瞭な音声に変換された音声に対応する音声信号を音声データに変換するようにしてもよい。
【０１０７】
また、記憶部２１は、読み書き可能なその他のメモリであってもよいし、ＵＳＢメモリ等の外部記憶装置であってもよい。
【０１０８】
（実施形態６）
次に、本発明の実施形態６について説明する。
【０１０９】
本実施形態に係る水中通話装置１００の全体構成は、図１Ａ及び図１Ｂに示すものと同じである。本実施形態に係る水中通話装置１００は、内部の回路構成が、上記実施形態５に係る水中通話装置１００と異なる。
【０１１０】
図８に示すように、本実施形態に係る水中通話装置１００は、スイッチ１６を備えておらず、制御部１８は、録音部２３及び録音制御部２４の代わりに再生部２５と、再生制御部２６とを備える。
【０１１１】
記憶部２１は、外部から入力された音声データを記憶する。音声データは、例えば、音楽やダイビングスポットの観光ガイドに対応するものである。このような音声データは、例えば、ＵＳＢメモリ等を用いて、入出力インターフェイス２２を介して転送することで記憶部２１に記憶させることができる。
【０１１２】
再生部２５は、記憶部２１に記憶された音声データを再生する。より詳細には、再生部２５は、記憶部２１に記憶された音声データを読み込んで、当該音声データを骨導スピーカ部１１に出力する。骨導スピーカ部１１は、再生部２５によって出力された音声データに相当する振動を出力する。
【０１１３】
上記実施形態５と同様に、再生制御部２６は、音声コマンドに基づいて、再生部２５による音声データの再生を開始又は終了させる。なお、音声コマンドには、再生の開始や終了の他に、音量、音色等の調節、再生の一時停止、早送り及び戻り、ミュート等に対応するものがあってもよい。
【０１１４】
例えば、上記音声コマンドテーブルにおいて、音声コマンド「再生スタート」に動作「再生の開始」が対応付けられており、音声コマンド「再生ストップ」に動作「再生の終了」が対応付けられている場合を説明する。なお、記憶部２１は、あらかじめ音楽等の音声データを記憶しているものとする。
【０１１５】
再生制御部２６は、骨導／咽喉マイクロホン部１２から出力される音声信号に含まれる「再生スタート」を認識する。続いて、再生制御部２６は、再生部２５に音声データの再生を開始させる。これに応じて、再生部２５は、記憶部２１に記憶された音声データを読み込んで、当該音声データを骨導スピーカ部１１に出力する。この結果、骨導スピーカ部１１から発せられた振動がダイバーによって音として認識される。そして、再生部２５が音声データを再生している状態で、再生制御部２６が、骨導／咽喉マイクロホン部１２から出力される音声信号に含まれる「再生ストップ」を認識する。すると、再生制御部２６は、再生部２５による音声データの再生を終了させる。
【０１１６】
以上詳細に説明したように、本実施形態によれば、音声データが再生されるため、音楽、観光ガイド等を聞きながらダイビングを行うことができる。こうすることで、ダイビングをより楽しむことができる。
【０１１７】
また、水中では、ダイバーは、酸素ボンベを背負い、ホース類や水中カメラ、ライト等の機材を多く身につけているうえ、保護スーツやグローブを装着しているため、手の動きが制限される。本実施形態によれば、音声コマンドによって音声データの再生を開始したり、終了したりできるため、ダイバーは発声するだけで再生開始及び終了の操作ができる。これにより、利便性がさらに高まる。
【０１１８】
また、本実施形態によれば、他のダイバーとの通話機能及び音声データの再生機能が１つの装置にまとまっているため、持ち運びが容易であり、コスト面でも有利である。
【０１１９】
なお、受信部１０は、外部から超音波を受信した際に、受信信号を制御部１８に出力するようにしてもよい。こうすることで、再生制御部２６は、記憶部２１に記憶された音声データの再生中に、受信部１０が外部から送信される音声データを受信した場合、記憶部２１に記憶された音声データよりも優先して受信部１０が受信した音声データに相当する振動を、骨導スピーカ部１１が出力するように、再生部２５を制御できる。
【０１２０】
具体的には、再生制御部２６は、再生部２５を制御することによって、記憶部２１に記憶された音声データの再生を一時停止させたり、骨導スピーカ部１１による音声データに相当する振動を小さくさせたりする。こうすることで、例えば、音楽の再生中であっても、他のダイバーの発呼に応じて再生中の音楽が停止したり、音楽の音量が小さくなったりするので、他のダイバーの音声を聞き取りやすくなる。
【０１２１】
また、再生部２５は、記憶部２１に記憶された音声データを読み込んで、当該音声データを送信部１３に出力してもよい。この場合、送信部１３は、再生部２５によって再生された音声データに相当する音声信号を外部に送信する。こうすることで、記憶部２１に記憶された音声データを他のダイバーが受信して、聞くことができる。これにより、例えば、ツアーガイドが安全のための注意事項やダイビングスポットの案内等の決められた内容を、必要に応じてツアー客に聞かせることができる。
【０１２２】
また、水中通話装置１００は、操作用のＰＴＴボタンを別途備えるようにしてもよい。この場合、再生制御部２６は、例えば、ＰＴＴボタンに対する特定の操作（長押し、素早い３回押し等）に基づいて再生部２５に音声データの再生を開始又は終了させるようにしてもよい。
【０１２３】
本実施形態では、音声コマンドによって音声データの記憶を開始させたり、終了させたりするようにしたが、上記実施形態４と同様に、水中通話装置１００は、振動検出部１５を備えてもよい。この場合、制御部１８は、振動検出部１５によって検出された振動に基づいて、再生部２５による音声データの再生の開始又は終了を制御するようにしてもよい。また、水中通話装置１００は、表示部１７を備えてもよい。この場合、制御部１８は、再生部２５による音声データの再生の開始又は終了等を表示部１７に表示させるようにしてもよい。
【０１２４】
（実施形態７）
次に、本発明の実施形態７について説明する。
【０１２５】
本実施形態に係る水中通話装置１００の全体構成は、図１Ａ及び図１Ｂに示すものと同じである。本実施形態に係る水中通話装置１００は、図９に示すように、内部の回路構成が、スイッチ１６を備えない点で上記実施形態５に係る水中通話装置１００と異なる。また、録音部２３に新たな機能が加わる。
【０１２６】
受信部１０は、外部から送信される音声データを、骨導スピーカ部１１に加えて録音部２３にも出力する。録音部２３は、受信部１０によって受信された音声データを記憶部２１に記憶する。もちろん、録音部２３は、上記実施形態５で説明したように、骨導／咽喉マイクロホン部１２から出力される音声信号を変換した音声データを記憶部２１に記憶することもできる。
【０１２７】
例えば、録音部２３は、受信部１０から出力された音声データと、骨導／咽喉マイクロホン部１２から出力される音声信号とを、ステレオ録音として記憶部２１に記憶する。具体的には、録音部２３は、受信部１０から出力された音声データをＬチャンネルデータとし、骨導／咽喉マイクロホン部１２から出力される音声信号を変換した音声データをＲチャンネルデータとして記憶部２１に記憶する。これにより、記憶部２１に記憶された音声データを再生した際に、臨場感のある音声が再生される。
【０１２８】
また、本実施形態では、スイッチ１６がないため、骨導／咽喉マイクロホン部１２から出力された音声信号は、常時、送信部１３に入力される。
【０１２９】
例えば、ダイバーＡ及びダイバーＢが、どちらも水中通話装置１００を備えてレジャーダイビングをしている場合を想定して、本実施形態に係る水中通話装置１００の動作を説明する。以下では、ダイバーＡが備える水中通話装置１００の動作を主に説明する。受信部１０がダイバーＢによって送信された音声データを受信すると、受信部１０は、録音部２３にその音声データを出力する。これを受けて、録音部２３は、その音声データを記憶部２１に記憶する。このとき、受信部１０は、ダイバーＢによって送信された音声データを骨導スピーカ部１１にも出力するため、骨導スピーカ部１１から発せられた振動がダイバーＡによって音として認識される。
【０１３０】
これに対し、ダイバーＡが発声すると、骨導／咽喉マイクロホン部１２は、ダイバーＡの声帯振動を感知し、その振動を音声信号に変換して、送信部１３及び制御部１８に出力する。すると、録音部２３は、出力された音声信号を変換した音声データを記憶部２１に記憶する。こうすることで、ダイバーＡの音声データが録音される。また、送信部１３は、骨導／咽喉マイクロホン部１２によって出力された音声信号を超音波に変換して外部に出力する。これにより、この超音波を受信したダイバーＢは、ダイバーＡの発声した音声を認識できる。
【０１３１】
以上詳細に説明したように、本実施形態によれば、外部から送信される音声データ及び自身の音声に基づく音声データを記憶させることができる。こうすることで、他のダイバーとの通話における自身の音声と相手の音声とを録音できるので、水中での会話のログを残すことができる。
【０１３２】
なお、本実施形態においても、録音制御部２４は、音声コマンドに基づいて、受信部１０によって受信された音声データ及び骨導／咽喉マイクロホン部１２から出力される音声信号が変換された音声データの記憶を、録音部２３に開始又は終了させるようにしてもよい。こうすることで、ダイバーは発声するだけで他のダイバーとの通話のうち必要な部分のみを録音することができる。
【０１３３】
また、水中通話装置１００は、上記実施形態５におけるスイッチ１６を備えるようにしてもよい。この場合、例えば、制御部１８は、骨導／咽喉マイクロホン部１２から音声信号が出力されたのを契機にスイッチ１６に切り替え信号を出力し、骨導／咽喉マイクロホン部１２から音声信号が、所定時間出力されない場合に、スイッチ１６に切り替え信号を出力するようにしてもよい。また、スイッチ１６のオンオフの切り替えは、ＰＴＴボタン等に対する特定の操作（長押し、素早い３回押し等）に基づいて行うようにしてもよい。
【０１３４】
なお、上記実施形態４と同様に、本実施形態においても水中通話装置１００は、振動検出部１５を備えてもよい。ここで、制御部１８は、振動検出部１５によって検出された振動に基づいて、録音部２３による音声データの記憶の開始又は終了を制御するようにしてもよい。また、水中通話装置１００は、表示部１７を備えてもよい。ここで、制御部１８は、録音部２３による音声データの記憶の開始又は終了等を表示部１７に表示させるようにしてもよい。
【０１３５】
なお、上記各実施形態では、水中通話装置１００をダイバーの首に巻き付けるタイプのものとした。しかしながら、本発明はこれには限られない。
【０１３６】
具体的には、例えば、図１０に示すように、水中通話装置１００は、弾性部材で形成された伸縮するバンド７でダイバーの頭に巻き付けられ、その額に装着されるようになっていてもよい。この場合、送受信部５は、受信アンテナ及び送信アンテナの指向性がダイバーの前方を向くように取り付けられ、音声インターフェイス４は、ダイバーの額に当接するように取り付けられるのが好ましい。こうすることで、高い受信感度が得られるうえ、骨導スピーカ部１１の振動が蝸牛管に伝達され、骨導／咽喉マイクロホン部１２が声帯の振動を拾える。
【０１３７】
例えば、図１１に示すように、水中通話装置１００は、ダイバーが装着するダイビングスーツ５０に取り付けられていてもよい。また、図１２に示すように、水中通話装置１００は、ダイバーが装着するダイビング用のフード６０に取り付けられていてもよい。また、図１３に示すように、水中通話装置１００は、ダイバーが装着するダイビング用のマスクストラップ７０に取り付けられていてもよい。この場合、図１４に示すように、水中通話装置１００は、ダイバーのこめかみに当接するようにマスクストラップ７０に取り付けられていてもよい。このとき、ダイバーの前方である図１４の矢印Ｂの方向に受信部１０の受信アンテナ及び送信部１３の送信アンテナの指向性を合わせることで、水中通話装置１００は、高い受信感度を得ることができる。
【０１３８】
この他、水中通話装置１００は、ダイバーが装着するマスクに取り付けられていてもよい。例えば、水中通話装置１００は、アタッチメント等でマスクに取り付けるようにしてもよい。要は、水中通話装置１００は、骨導スピーカ部１１の振動が蝸牛管に伝達されるように、骨導／咽喉マイクロホン部１２が、声帯の振動を拾えるように、ダイバーの体の一部に当接した状態で、装着されていれば、その機能を果たすことができる。さらに、受信部１０の受信アンテナ及び送信部１３の送信アンテナの指向性がダイバーの前方を向くように装着されていれば、受信感度を高めることができる。
【０１３９】
このように、上記各実施形態に係る水中通話装置１００を用いて、ダイバー間での通話が可能になれば、他のダイバーに指示を伝達したり、危険を通知したりすることができるので、各ダイバーの安全性を高めることができる。
【０１４０】
これまで、本発明のいくつかの実施形態を説明したが、本発明には、請求の範囲に記載された発明とその均等の範囲が含まれる。以下に、本願出願の当初の請求の範囲に記載された発明を付記する。
【０１４１】
（付記１）
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーに装着される装着部と、
を備え、
前記受信部と、前記骨導スピーカ部とが、前記装着部に一体に取り付けられている、
水中通話装置。
【０１４２】
（付記２）
前記受信部は、
アンテナを備え、
指向性が前記ダイバーの前方を向くように前記アンテナが取り付けられている、
ことを特徴とする付記１に記載の水中通話装置。
【０１４３】
（付記３）
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
を備える水中通話装置。
【０１４４】
（付記４）
前記骨導／咽喉マイクロホン部から出力された前記音声信号を、より明瞭な音声に基づく音声信号に変換して、前記送信部に送信する声質変換部をさらに備える、
ことを特徴とする付記３に記載の水中通話装置。
【０１４５】
（付記５）
前記受信部及び前記送信部は、
アンテナを備え、
指向性が前記ダイバーの前方を向くように前記アンテナが取り付けられている、
ことを特徴とする付記３又は４に記載の水中通話装置。
【０１４６】
（付記６）
音声データを記憶する記憶部と、
前記骨導／咽喉マイクロホン部から出力される前記音声信号を音声データに変換し、前記音声データを前記記憶部に記憶する録音部と、
をさらに備える、
ことを特徴とする付記３乃至５のいずれかに記載の水中通話装置。
【０１４７】
（付記７）
前記録音部は、
前記受信部によって受信された前記音声データを前記記憶部に記憶する、
ことを特徴とする付記６に記載の水中通話装置。
【０１４８】
（付記８）
外部から入力された音声データを記憶する記憶部と、
前記記憶部に記憶された前記音声データを再生する再生部と、
をさらに備え、
前記骨導スピーカ部は、
前記再生部によって再生された前記音声データに相当する振動を出力する、
ことを特徴とする付記３乃至５のいずれかに記載の水中通話装置。
【０１４９】
（付記９）
前記記憶部に記憶された前記音声データの再生中に、前記受信部が外部から送信される前記音声データを受信した場合、前記記憶部に記憶された前記音声データよりも優先して前記受信部が受信した前記音声データに相当する振動を、前記骨導スピーカ部が出力するように、前記再生部を制御する再生制御部をさらに備える、
ことを特徴とする付記８に記載の水中通話装置。
【０１５０】
（付記１０）
前記送信部は、
前記再生部によって再生された前記音声データに相当する音声信号を外部に送信する、
ことを特徴とする付記８に記載の水中通話装置。
【０１５１】
（付記１１）
自機の振動を検出する振動検出部と、
前記振動検出部によって検出された前記振動に基づいて、前記各部の少なくとも１つの動作を制御する制御部と、
をさらに備える付記１乃至１０のいずれかに記載の水中通話装置。
【０１５２】
（付記１２）
前記骨導／咽喉マイクロホン部から出力される前記音声信号に含まれる前記ダイバーからの音声コマンドを認識し、前記音声コマンドに基づいて、前記各部の少なくとも１つの動作を制御する制御部と、
をさらに備える付記３乃至１０のいずれかに記載の水中通話装置。
【０１５３】
（付記１３）
前記各部の少なくとも１つの動作状態を、前記ダイバーの視野内に表示する表示部をさらに備える、
ことを特徴とする付記１乃至１２のいずれかに記載の水中通話装置。
【０１５４】
（付記１４）
前記各部が前記装着部に一体に取り付けられている、
ことを特徴とする付記３乃至１３のいずれかに記載の水中通話装置。
【０１５５】
（付記１５）
前記各部の少なくとも１つが、前記装着部から離隔した状態で使用可能である、
ことを特徴とする付記３乃至１３のいずれかに記載の水中通話装置。
【０１５６】
（付記１６）
前記ダイバーの首に巻き付ける構造となっている、
ことを特徴とする付記１乃至１５のいずれかに記載の水中通話装置。
【０１５７】
（付記１７）
前記ダイバーの額に装着される構造となっている、
ことを特徴とする付記１乃至１５のいずれかに記載の水中通話装置。
【０１５８】
（付記１８）
前記ダイバーが装着するマスクストラップに取り付けられている、
ことを特徴とする付記１乃至１５のいずれかに記載の水中通話装置。
【０１５９】
（付記１９）
前記ダイバーが装着するマスクに取り付けられている、
ことを特徴とする付記１乃至１５のいずれかに記載の水中通話装置。
【０１６０】
（付記２０）
前記ダイバーが装着するフードに取り付けられている、
ことを特徴とする付記１乃至１５のいずれかに記載の水中通話装置。
【０１６１】
（付記２１）
前記ダイバーが装着するダイビングスーツに取り付けられている、
ことを特徴とする付記１乃至１５のいずれかに記載の水中通話装置。
【０１６２】
本出願は、２０１１年１月２１日に出願された日本国特許出願２０１１−０１１３４０号に基づく。本明細書中に日本国特許出願２０１１−０１１３４０号の明細書、特許請求の範囲、図面全体を参照として取り込むものとする。
【産業上の利用可能性】
【０１６３】
本発明は、水中での通話に好適である。
【符号の説明】
【０１６４】
１…本体部、２…紐部、３…連結部、４…音声インターフェイス、５…送受信部、６…ケーブル、７…バンド、１０…受信部、１１…骨導スピーカ部、１２…骨導／咽喉マイクロホン部、１３…送信部、１４…声質変換部、１５…振動検出部、１６…スイッチ、１７…表示部、１８…制御部、１９…送信制御部、２０…出力制御部、２１…記憶部、２２…入出力インターフェイス、２３…録音部、２４…録音制御部、２５…再生部、２６…再生制御部、５０…ダイビングスーツ、６０…フード、７０…マスクストラップ、１００…水中通話装置
【図１Ａ】
2012099223.tif 000003
【図１Ｂ】
2012099223.tif 000004
【図１Ｃ】
2012099223.tif 000005
【図２】
2012099223.tif 000006
【図３】
2012099223.tif 000007
【図４】
2012099223.tif 000008
【図５】
2012099223.tif 000009
【図６】
2012099223.tif 000010
【図７】
2012099223.tif 000011
【図８】
2012099223.tif 000012
【図９】
2012099223.tif 000013
【図１０】
2012099223.tif 000014
【図１１】
2012099223.tif 000015
【図１２】
2012099223.tif 000016
【図１３】
2012099223.tif 000017
【図１４】
2012099223.tif 000018
【手続補正書】
【提出日】平成25年2月4日(2013.2.4)
【手続補正１】
【補正対象書類名】明細書
【補正対象項目名】００１０
【補正方法】変更
【補正の内容】
【００１０】
上記課題を解決するために、本発明に係る水中通話装置は、
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーが装着する他の装着器材と干渉しないように前記ダイバーに装着される装着部と、
を備え、
前記受信部と、前記骨導スピーカ部とが単体として、前記装着部の一部に取り付けられている。
【手続補正２】
【補正対象書類名】特許請求の範囲
【補正対象項目名】全文
【補正方法】変更
【補正の内容】
【特許請求の範囲】
【請求項１】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーが装着する他の装着器材と干渉しないように前記ダイバーに装着される装着部と、
を備え、
前記受信部と、前記骨導スピーカ部とが単体として、前記装着部の一部に取り付けられている、
水中通話装置。
【請求項２】
前記受信部は、
アンテナを備え、
指向性が前記ダイバーの前方を向くように前記アンテナが取り付けられている、
ことを特徴とする請求項１に記載の水中通話装置。
【請求項３】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーが装着する他の装着器材と干渉しないように前記ダイバーに装着される装着部と、
を備え、
前記各部が単体として、前記装着部の一部に取り付けられている、
水中通話装置。
【請求項４】
前記骨導／咽喉マイクロホン部から出力された前記音声信号を、より明瞭な音声に基づく音声信号に変換して、前記送信部に送信する声質変換部をさらに備える、
ことを特徴とする請求項３に記載の水中通話装置。
【請求項５】
前記受信部及び前記送信部は、
アンテナを備え、
指向性が前記ダイバーの前方を向くように前記アンテナが取り付けられている、
ことを特徴とする請求項３又は４に記載の水中通話装置。
【請求項６】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
音声データを記憶する記憶部と、
前記骨導／咽喉マイクロホン部から出力される前記音声信号を音声データに変換し、前記音声データを前記記憶部に記憶する録音部と、
を備える水中通話装置。
【請求項７】
前記録音部は、
前記受信部によって受信された前記音声データを前記記憶部に記憶する、
ことを特徴とする請求項６に記載の水中通話装置。
【請求項８】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
外部から入力された音声データを記憶する記憶部と、
前記記憶部に記憶された前記音声データを再生する再生部と、
を備え、
前記骨導スピーカ部は、
前記再生部によって再生された前記音声データに相当する振動を出力する、
水中通話装置。
【請求項９】
前記記憶部に記憶された前記音声データの再生中に、前記受信部が外部から送信される前記音声データを受信した場合、前記記憶部に記憶された前記音声データよりも優先して前記受信部が受信した前記音声データに相当する振動を、前記骨導スピーカ部が出力するように、前記再生部を制御する再生制御部をさらに備える、
ことを特徴とする請求項８に記載の水中通話装置。
【請求項１０】
前記送信部は、
前記再生部によって再生された前記音声データに相当する音声信号を外部に送信する、
ことを特徴とする請求項８に記載の水中通話装置。
【請求項１１】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーに装着される装着部と、
自機の振動を検出する振動検出部と、
前記振動検出部によって検出された前記振動に基づいて、前記各部の少なくとも１つの動作を制御する制御部と、
を備え、
前記受信部と、前記骨導スピーカ部とが、前記装着部に一体に取り付けられている、
水中通話装置。
【請求項１２】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
前記骨導／咽喉マイクロホン部から出力される前記音声信号に含まれる前記ダイバーからの音声コマンドを認識し、前記音声コマンドに基づいて、前記各部の少なくとも１つの動作を制御する制御部と、
を備える水中通話装置。
【請求項１３】
前記各部の少なくとも１つの動作状態を、前記ダイバーの視野内に表示する表示部をさらに備える、
ことを特徴とする請求項１乃至１２のいずれか一項に記載の水中通話装置。
【請求項１４】
前記各部が単体として、前記装着部の一部に取り付けられている、
ことを特徴とする請求項４乃至１３のいずれか一項に記載の水中通話装置。
【請求項１５】
前記各部の少なくとも１つが、前記装着部から離隔した状態で使用可能である、
ことを特徴とする請求項３乃至１３のいずれか一項に記載の水中通話装置。
【請求項１６】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーに装着される装着部と、
を備え、
前記受信部と、前記骨導スピーカ部とが、前記装着部に一体に取り付けられており、
前記ダイバーの首に巻き付ける構造となっている、
水中通話装置。
【請求項１７】
前記ダイバーの額に装着される構造となっている、
ことを特徴とする請求項１乃至１５のいずれか一項に記載の水中通話装置。
【請求項１８】
前記ダイバーが装着するマスクストラップに取り付けられている、
ことを特徴とする請求項１乃至１５のいずれか一項に記載の水中通話装置。
【請求項１９】
前記ダイバーが装着するマスクに取り付けられている、
ことを特徴とする請求項１乃至１５のいずれか一項に記載の水中通話装置。
【請求項２０】
前記ダイバーが装着するフードに取り付けられている、
ことを特徴とする請求項１乃至１５のいずれか一項に記載の水中通話装置。
【請求項２１】
前記ダイバーが装着するダイビングスーツに取り付けられている、
ことを特徴とする請求項１乃至１５のいずれか一項に記載の水中通話装置。
【手続補正書】
【提出日】平成25年6月6日(2013.6.6)
【手続補正１】
【補正対象書類名】明細書
【補正対象項目名】００１０
【補正方法】変更
【補正の内容】
【００１０】
上記課題を解決するために、本発明に係る水中通話装置は、
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーが装着するレギュレータ及びマスクと干渉しないように前記ダイバーに装着される装着部と、
を備え、
前記受信部と、前記骨導スピーカ部とが単体として、前記装着部の一部に取り付けられている。
【手続補正２】
【補正対象書類名】特許請求の範囲
【補正対象項目名】全文
【補正方法】変更
【補正の内容】
【特許請求の範囲】
【請求項１】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーが装着するレギュレータ及びマスクと干渉しないように前記ダイバーに装着される装着部と、
を備え、
前記受信部と、前記骨導スピーカ部とが単体として、前記装着部の一部に取り付けられている、
水中通話装置。
【請求項２】
前記受信部は、
アンテナを備え、
指向性が前記ダイバーの前方を向くように前記アンテナが取り付けられている、
ことを特徴とする請求項１に記載の水中通話装置。
【請求項３】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーが装着するレギュレータ及びマスクと干渉しないように前記ダイバーに装着される装着部と、
を備え、
前記各部が単体として、前記装着部の一部に取り付けられている、
水中通話装置。
【請求項４】
前記骨導／咽喉マイクロホン部から出力された前記音声信号を、より明瞭な音声に基づく音声信号に変換して、前記送信部に送信する声質変換部をさらに備える、
ことを特徴とする請求項３に記載の水中通話装置。
【請求項５】
前記受信部及び前記送信部は、
アンテナを備え、
指向性が前記ダイバーの前方を向くように前記アンテナが取り付けられている、
ことを特徴とする請求項３又は４に記載の水中通話装置。
【請求項６】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
音声データを記憶する記憶部と、
前記骨導／咽喉マイクロホン部から出力される前記音声信号を音声データに変換し、前記音声データを前記記憶部に記憶する録音部と、
を備える水中通話装置。
【請求項７】
前記録音部は、
前記受信部によって受信された前記音声データを前記記憶部に記憶する、
ことを特徴とする請求項６に記載の水中通話装置。
【請求項８】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
外部から入力された音声データを記憶する記憶部と、
前記記憶部に記憶された前記音声データを再生する再生部と、
を備え、
前記骨導スピーカ部は、
前記再生部によって再生された前記音声データに相当する振動を出力する、
水中通話装置。
【請求項９】
前記記憶部に記憶された前記音声データの再生中に、前記受信部が外部から送信される前記音声データを受信した場合、前記記憶部に記憶された前記音声データよりも優先して前記受信部が受信した前記音声データに相当する振動を、前記骨導スピーカ部が出力するように、前記再生部を制御する再生制御部をさらに備える、
ことを特徴とする請求項８に記載の水中通話装置。
【請求項１０】
前記送信部は、
前記再生部によって再生された前記音声データに相当する音声信号を外部に送信する、
ことを特徴とする請求項８に記載の水中通話装置。
【請求項１１】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーに装着される装着部と、
自機の振動を検出する振動検出部と、
前記振動検出部によって検出された前記振動に基づいて、前記各部の少なくとも１つの動作を制御する制御部と、
を備え、
前記受信部と、前記骨導スピーカ部とが、前記装着部に一体に取り付けられている、
水中通話装置。
【請求項１２】
ダイバーが装着する水中通話装置であって、
外部から送信される音声データを受信する受信部と、
前記受信部で受信された前記音声データに相当する振動を出力する骨導スピーカ部と、
前記ダイバーの声帯振動を音声信号に変換する骨導／咽喉マイクロホン部と、
前記骨導／咽喉マイクロホン部から出力される前記音声信号を外部に送信する送信部と、
前記骨導スピーカ部及び前記骨導／咽喉マイクロホン部を前記ダイバーに当接させた状態で、前記ダイバーに装着される装着部と、
前記骨導／咽喉マイクロホン部から出力される前記音声信号に含まれる前記ダイバーからの音声コマンドを認識し、前記音声コマンドに基づいて、前記各部の少なくとも１つの動作を制御する制御部と、
を備える水中通話装置。
【請求項１３】
前記各部の少なくとも１つの動作状態を、前記ダイバーの視野内に表示する表示部をさらに備える、
ことを特徴とする請求項１乃至１２のいずれか一項に記載の水中通話装置。
【請求項１４】
前記各部が単体として、前記装着部の一部に取り付けられている、
ことを特徴とする請求項４乃至１３のいずれか一項に記載の水中通話装置。
【請求項１５】
前記各部の少なくとも１つが、前記装着部から離隔した状態で使用可能である、
ことを特徴とする請求項３乃至１３のいずれか一項に記載の水中通話装置。
【請求項１６】
ダイバーが装着する水中通話装置であって、
外部から送信される音声データを受信する受信部と、
前記受信部で受信された前記音声データに相当する振動を出力する骨導スピーカ部と、
前記骨導スピーカ部を前記ダイバーに当接させた状態で、前記ダイバーに装着される装着部と、
を備え、
前記受信部と、前記骨導スピーカ部とが、前記装着部に一体に取り付けられており、
前記ダイバーの首に巻き付ける構造となっている、
水中通話装置。
【請求項１７】
前記ダイバーの額に装着される構造となっている、
ことを特徴とする請求項１乃至１５のいずれか一項に記載の水中通話装置。
【請求項１８】
前記ダイバーが装着するマスクストラップに取り付けられている、
ことを特徴とする請求項１乃至１５のいずれか一項に記載の水中通話装置。
【請求項１９】
前記ダイバーが装着するマスクに取り付けられている、
ことを特徴とする請求項６乃至１２のいずれか一項に記載の水中通話装置。
【請求項２０】
前記ダイバーが装着するフードに取り付けられている、
ことを特徴とする請求項１乃至１５のいずれか一項に記載の水中通話装置。
【請求項２１】
前記ダイバーが装着するダイビングスーツに取り付けられている、
ことを特徴とする請求項１乃至１５のいずれか一項に記載の水中通話装置。
【国際調査報告】
2012099223.tif 000019
2012099223.tif 000020
2012099223.tif 000021
2012099223.tif 000022
2012099223.tif 000023
2012099223.tif 000024
2012099223.tif 000025